(57)【要約】【課題】被加熱材の所要加熱温度が異なる任意形状の加熱部位ごとに、領域設定及び所要加熱温度までの加熱を迅速かつ精度良く行う加熱装置及び加熱方法を提供すること。【解決手段】電磁波の照射により被加熱材を加熱する加熱装置及び加熱方法であって、該照射線を遮蔽、吸収及び／又は反射するとともに、所定パターンプロフィルを有するプレート材を少なくとも部分的に、該被加熱材に近接して配置可能にした加熱装置及び加熱方法。【選択図】図１
2010044875.tif 000002
【特許請求の範囲】
【請求項１】
電磁波の照射により被加熱材を加熱する加熱装置であって、該照射線を遮蔽、吸収及び／又は反射するとともに、所定パターンプロフィルを有するプレート材を、少なくとも部分的に、該被加熱材に近接して配置可能にしたことを特徴とする、加熱装置。
【請求項２】
複数の前記照射線の発生装置を配列し、各該発生装置ごとに加熱能力を調節できることを特徴とする、請求項１に記載の加熱装置。
【請求項３】
複数の前記発生装置を前記被加熱材の周囲に２次元的又は３次元的に配列し、それに対応して前記プレート材を該発生装置と該被加熱材との間に２次元的又は３次元的に配置したことを特徴とする、請求項２に記載の加熱装置。
【請求項４】
前記発生装置は近赤外線発生装置であり、前記プレート材は近赤外線を遮蔽、吸収及び／又は反射する材料からなることを特徴とする、請求項２又は３に記載の加熱装置。
【請求項５】
前記プレート材は、セラミック、照射線遮蔽能力を有する繊維状物質若しくはこれらの複合材及び反射ミラーのうちのいずれか１以上からなることを特徴とする、請求項１〜４のいずれか一に記載の加熱装置。
【請求項６】
前記プレート材は、被加熱材の所望の加熱形状に合わせて２次元的又は３次元的に形成された１以上の部材からなることを特徴とする、請求項１〜５のいずれか一に記載の加熱装置。
【請求項７】
前記被加熱材は、鋼板又は該鋼板を立体的に成形した加工成形品であることを特徴とする、請求項１〜６のいずれか一に記載の加熱装置。
【請求項８】
前記発生装置とは異なる前記被加熱材の照射線源をさらに有することを特徴とする、請求項２〜７のいずれか一に記載の加熱装置。
【請求項９】
前記プレート材は、ステーにより保持され、前記被加熱材の表面に接触しないで配置されていることを特徴とする、請求項１〜８のいずれか一に記載の加熱装置。
【請求項１０】
前記プレート材は、前記被加熱材の表面に接触して配置されていることを特徴とする、請求項１〜８のいずれか一に記載の加熱装置。
【請求項１１】
前記発生装置は、中赤外線発生装置、遠赤外線発生装置、マイクロ波発生装置、レーザ発生装置のうちのいずれかであり、前記プレート材はそれぞれの電磁波を遮蔽、吸収及び／又は反射する材料からなることを特徴とする、請求項２又は３に記載の加熱装置。
【請求項１２】
請求項１〜１１のいずれか一に記載の加熱装置に用いる、加熱用電磁波を遮蔽、吸収及び／又は反射するとともに、所定パターンプロフィルを有するプレート材。
【請求項１３】
電磁波の照射により被加熱材を加熱する加熱方法であって、該被加熱材と該照射線の発生装置との間に該照射線を遮蔽、吸収及び／又は反射するとともに、所定パターンプロフィルを有するプレート材を少なくとも部分的に配置することを特徴とする、加熱方法。
【請求項１４】
鋼材である被加熱材全体をオーステナイト化温度未満の低温で加熱するとともに、所要の部位のみをオーステナイト化温度より高い温度に加熱することを特徴とする、請求項１３に記載の加熱方法。
【発明の詳細な説明】
【技術分野】
【０００１】
本発明は、局所的加熱装置及び方法に関する。
【背景技術】
【０００２】
例えば車両用部品においては、厚さを薄くしてなおかつ高強度を持つ部材を用いることにより、安全性と経済性の両立を図っている。このような目的のため、高温に加熱した鋼板を低温のプレス金型で冷却して焼入れを行う、いわゆる熱間プレス（ダイクエンチ、ホットフォーミング）が知られている。この工法は、鋼板をオーステナイト化温度以上に加熱し、プレス金型で成形と同時に急速冷却して焼入れを行うものである。
【０００３】
熱間プレスを行う場合の加熱方法としては、通常の炉内加熱の他、高速加熱が可能な通電加熱やブロックヒータ等が知られている。また、自動車部品の熱間プレスのための加熱炉に、近赤外線加熱を用いる技術が特許文献１に開示されている。なお、赤外線を電子回路部品のごく微小範囲の補助加熱用に用いた技術が特許文献２、３に開示されている。
【０００４】
また、特許文献４には、１つの加熱炉内に仕切りを設け、仕切りで区切られた領域を異なる温度で加熱することができるワーク用加熱炉が開示されている。
【０００５】
【特許文献１】特開２００７−３１４８７４号公報
【特許文献２】特開平５−４５６０７号公報
【特許文献３】特開２００１−４４６１８号公報
【特許文献４】特開２００２−２４１８３５号公報
【発明の開示】
【発明が解決しようとする課題】
【０００６】
しかし一方では、この熱間プレスで得られる鋼板は強度が高いが故に、その後の加工が焼入れ前の鋼板に比べて困難になるという問題もある。そのため、熱間プレスにおいても、製品性能や加工工程の最適化のために、部分的な焼入れや、逆に部分的に焼入れを行わない部位を設けるという部分的な熱処理のニーズが高まってきている。その場合、部分加熱する部位は要求に合わせて任意形状かつ極小範囲とする必要がある。
【０００７】
このようなニーズのためには、従来の加熱炉や通電加熱では対応できず、それは特許文献１に記載の加熱炉においても同様である。また、特許文献４に記載の技術のように炉内に仕切りを設けても任意の形状に仕切りをすることは困難で、高温部と低温部との境界の温度徐変部も広くなってしまう。
【０００８】
高速加熱法の一つとして近赤外線による加熱法がある。赤外線加熱は赤外線ランプの加熱温度を任意に設定することが可能であり、被加熱材を部分的に加熱でき、加熱温度を部分的に変化させることも可能であると考えられる。
【０００９】
しかし発明者らの知見によれば、赤外線を用いて部分加熱を行う場合、加熱源を複数用意し、所要の形状に配置してそれぞれごとに加熱温度を調節する必要がある。さらにその場合でも直線状の部分加熱のみが限界であり、さらに温度境界部の位置を確実に制御することは困難であった。また、高温部と低温部との境界の温度徐変部も非常に広く、実用的な範囲まで狭くすることはできなかった。
【００１０】
本発明の課題は、被加熱材の所要加熱温度が異なる任意形状の加熱部位ごとに、領域設定及び所要加熱温度までの加熱を迅速かつ精度良く行うことができ、かつ領域間の温度の徐変部位即ち温度が変化する領域を実用的レベルまで小さくすることができる加熱装置及び加熱方法を提供することである。
【課題を解決するための手段】
【００１１】
上記課題は、電磁波の照射により被加熱材を加熱する加熱装置及び加熱方法であって、該照射線を遮蔽、吸収及び／又は反射するとともに、所定パターンプロフィルを有するプレート材を、少なくとも部分的に、該被加熱材に近接して配置可能にしたことを特徴とする、加熱装置及び加熱方法によって解決される。
【００１２】
被加熱材としては、典型的には、鉄鋼材及び鋼板（シート状鋼板又は立体成形されたもの）などの鋼材であり、非鉄金属、合金及び複合材なども含まれる。加熱に用いられる電磁波としては、赤外線、マイクロ波、レーザ等が考えられる。特に、近赤外線は多種の金属に対して迅速な加熱が可能である。また、これらの電磁波を遮蔽、吸収及び／又は反射する部材としては、セラミック、アスベスト等の絶縁体や、ゴールド反射ミラー等の反射ミラーや反射材が考えられる。
【００１３】
本発明の他の視点は、上記のいずれかの加熱装置に用いる、加熱用電磁波を遮蔽、吸収及び／又は反射するとともに、所定パターンプロフィルを有するプレート材である。
【発明の効果】
【００１４】
本発明により、被加熱材の所要加熱温度が異なる任意形状の加熱部位ごとに、領域設定及び所要加熱温度までの加熱を迅速かつ精度良く行うことができ、かつ領域間の温度徐変部位即ち温度が変化する領域を実用的レベルまで小さくすることができる。
【発明を実施するための最良の形態】
【００１５】
本発明に係る加熱装置は、複数の前記照射線の発生装置を配列し、各該発生装置ごとに加熱能力を調節できることが好ましい。これにより、熱遮蔽プレート等のプレート材と組み合わせることにより、任意の範囲の高温加熱部と低温加熱部を設定できる。
【００１６】
また、複数の前記発生装置を前記被加熱材の周囲に２次元的又は３次元的に配列し、それに対応して前記プレート材を該発生装置と該被加熱材との間に２次元的又は３次元的に配置することが好ましい。これにより、立体形状の被加熱材をも加熱することができる。
【００１７】
前記発生装置は近赤外線発生装置であり、前記プレート材は近赤外線を遮蔽、吸収及び／又は反射する材料から構成することができる。
【００１８】
前記プレート材は、セラミック、照射線遮蔽能力を有する繊維状物質若しくはこれらの複合材及び反射ミラーのうちのいずれか１以上から構成することができる。
【００１９】
前記プレート材は、被加熱材の所望の加熱形状に合わせて２次元的又は３次元的に形成された１以上の部材から構成されることが好ましい。
【００２０】
前記被加熱材は、鋼板又は該鋼板を立体的に成形した加工成形品とすることができる。特に、自動車部材用鋼板を好適に用いることができる。
【００２１】
前記発生装置とは異なる前記被加熱材の照射線源をさらに有することができる。
【００２２】
前記プレート材は、ステーにより保持され、前記被加熱材の表面に接触しないで配置され、又は前記被加熱材の表面に接触して配置されるようにすることができる。
【００２３】
前記照射線発生装置は、中赤外線発生装置、遠赤外線発生装置、マイクロ波発生装置、レーザ発生装置のうちのいずれかであり、前記プレート材はそれぞれの電磁波を遮蔽、吸収及び／又は反射する材料から構成することができる。
【００２４】
また、鋼材である被加熱材全体をオーステナイト化温度未満の低温で加熱するとともに、所要の部位のみをオーステナイト化温度より高い温度に加熱することができる。これにより、高温加熱部の加熱時間を短縮できるとともに、形状保持性も高めることができる。
【実施例】
【００２５】
以下に図面及び実施例に基づいて本発明を詳細に説明するが、その前に、本発明の特徴を明確化するために発明者らによる知見について述べる。
【００２６】
図６は、被加熱材（ここでは平板状鋼板）を部分的に加熱する場合の発明者らによる関連技術の一例である。図６（ａ）は、図６（ｂ）のＡ−Ａ断面による断面図、図（ｂ）は平面図である。被加熱材３は、上下に配置された多数の近赤外線ランプ１から照射される赤外線２により加熱される。近赤外線ランプ１は個別に加熱温度の設定が可能で、ランプの設定温度を高温設定部１ａ、低温設定部１ｂのように分けることで、被加熱材３を高温加熱部５と低温加熱部６のように異なった温度で部分加熱することが可能である。
【００２７】
図６（ｃ）は、被加熱材の温度分布図である。図６（ｄ）はこの被加熱材を熱間プレスしたホットフォーミング製品である。高温加熱部５はホットフォーミング工程でオーステナイト化温度以上（約８００℃以上が好ましい）に加熱して焼入れされることで高強度部５に、低温加熱部６はオーステナイト化温度未満（約７００℃以下が好ましい）で加熱して焼入れされないことで低強度部６になる。製品の低強度部、高強度部は衝突時のエネルギー吸収性能を最適化するために、温度境界線即ち強度境界線の位置を高精度で設定すること、温度徐変部即ち強度徐変部を出来るだけ狭い範囲とすることが必要である。しかしながら、高温赤外線２ａの低温部への干渉が発生し、温度徐変部７が広範囲で発生し、低温−高温の温度境界線の位置を高精度で設定することが出来なかった。また、温度境界線は赤外線ランプ１の形状に沿って直線状にしか設定することが出来なかった。
【００２８】
図７は、本発明の関連技術による、局部的に高温部を設ける加熱装置及び方法を示す。被加熱材３は上下に配置した高温設定赤外線ランプ１ａ、低温設定赤外線ランプ１ｂにより加熱される。部分的に高温に加熱したい部位５に沿って高温加熱設定の赤外線ランプ１ａを配置することで局部的に高温加熱部５を設定することが可能である。しかしながら、局部加熱部位は赤外線ランプの形状に沿った形状にしか設定できず、図６に示す部分加熱と同様に、温度徐変部７が広範囲となり、温度境界はあまりはっきりしなかった。
【００２９】
図８は、本発明の関連技術による、局部的に低温部を設ける局部加熱方法を示す。被加熱材３は上下に配置した赤外線ランプ１ａ，１ｂにより加熱される。部分的に低温に加熱したい部位６に沿って低温加熱設定の赤外線ランプ１ｂを配置することで局部的に低温加熱部６を設定することが可能である。しかしながら、局部加熱部位は赤外線ランプの形状に沿った形状にしか設定できず、図６に示す部分加熱と同様に、温度徐変部７が広範囲になり、温度境界はあまりはっきりしなかった。
【００３０】
（実施例１）
図１は、本発明に係る加熱装置の一実施例を示す断面図及び平面図である。図１（ａ）は、図１（ｂ）のＡ−Ａ断面における断面図であり、図１（ｂ）は、図１（ａ）のＢ−Ｂ方向から見た平面図である。従って図１（ｂ）には、上側近赤外線ランプ１は図示されていない。被加熱材３は上下に配置された複数の近赤外線ランプ１から照射される近赤外線２により加熱される。これらの近赤外線ランプは、加熱温度を調節設定することができる。図１（ａ）に示すように、上側近赤外線ランプ１を高温設定部１ａ、低温設定部１ｂに分け、下側近赤外線ランプ１を高温設定部１ｃ、低温設定部１ｄに分ける。そして被加熱材３と上側近赤外線ランプ１との間に、図１（ｂ）に示すように、所用の温度境界形状に合わせて形成された熱遮蔽プレート１０を設置して加熱を行う。
【００３１】
図１（ａ）に示すように、温度境界範囲２２では、上側近赤外線ランプは高温設定部１ａ、下側近赤外線ランプは低温設定部１ｄとなっており、被加熱材３の下面は全体が低温赤外線（強度の弱い赤外線）２ｂで加熱される。被加熱材３の上面は、熱遮蔽プレート１０の無い部分は高温赤外線（強度が大きい赤外線）２ａにより加熱される。熱遮蔽プレート１０がある部分では、高温赤外線２ａ’は熱遮蔽プレート１０に遮られて、被加熱材３には到達せず、高温には加熟されない。しかしながら、この部位は下側から低温赤外線２ｂで加熱される。このため、被加熱材３は図１（ｃ）に示すように熱遮蔽プレート１０に沿った形状の温度境界２２ａを境界として、高温加熱部２１は高温で、低温加熱部２３は低温で加熱される。
【００３２】
温度境界２２ａ近辺では上側からの高温赤外線２ａ’は熱遮蔽プレート１０に遮られるため、低温加熱部２３に干渉することが無い。このため、温度境界２２ａは位置精度良く設定でき、かつ温度境界２２ａ周辺の温度徐変部も十分小さくすることが可能である。温度境界２２ａを任意形状に設定できることは、ホットフォーミング製品の要求性能に応じて自由に高強度部、低強度部を設定できることになり、製品性能の最適化、製品設計の自由度向上に有利である。
【００３３】
本実施例においては、熱間プレスにより強度を持たせたい部位は、オーステナイト化温度以上（約８００℃以上が好ましい）の高温に加熱し、それ以外の部分全体をオーステナイト化温度より低い温度で下側からも含めて加熱している。これにより、高温加熱部の加熱時間を短縮化できるとともに、被加熱材の成形後のスプリングバックが少ない、即ち形状保持性が高まるという効果がある。
【００３４】
図４（ａ）にこの方法の自動車用部材への適用例を示す。ホットフォーミング製品（Ｂピラー）３９では、ホットフォーミングの際にオーステナイト化温度以上（約８００℃以上が好ましい）の高温に加熱し焼入れを行い高強度とする部位４２と、オーステナイト化温度未満（約７００℃以下が好ましい）の低温で加熱し焼入れを行わずに高延性をもたせた部位４０を設けることが衝突時のエネルギー吸収の向上など、製品性能の向上に有利である。また、温度境界４１は本発明では任意の形状に設定でき、製品性能の最適化、製品設計の自由度を向上できる。温度境界４１の位置精度、周辺の温度徐変範囲も小さいことから、製品性能も安定する。
【００３５】
（実施例２）
図２に、本発明に係る加熱装置の一実施例及びそれを用いた局部低温加熱方法を示す。図２（ａ）は、図２（ｂ）のＡ−Ａ断面における断面図であり、図２（ｂ）は、図２（ａ）のＢ−Ｂ方向から見た平面図である。基本的な考え方は実施例１と同様である。被加熱材３は上下に複数配置した赤外線ランプ１により加熱される。上側近赤外線ランプを高温設定１ａに、下側近赤外線ランプを低温設定１ｂとし、被加熱材３と上側近赤外線ランプ１との間に、図２（ｂ）に示すように熱遮蔽プレート１０を配置して加熱する。この場合の熱遮蔽プレート１０は、被加熱材よりやや小さい相似形で、高温加熱しない周辺部分を残して内側を切り欠いた形状である。
【００３６】
これにより、図２（ｃ）に示すように低温加熱部２３は、上面の高温設定の上側近赤外線ランプ１から照射される高温赤外線２ａ’が局部熱遮蔽プレート１０に遮られ高温には加熱されないが、下面は下側近赤外線ランプ１から照射される低温赤外線２ｂにより加熱されるため、低温設定の温度に加熱される。
【００３７】
高温加熱部２１（局部熱遮蔽プレート１０の無い部分）は、上面は高温設定の上側赤外線ランプ１から照射される高温赤外線２ａにより高温設定の温度に加熱される。また。この高温加熱部位２１の下面は下側近赤外線ランプ１から照射される低温赤外線２ｂによっても加熱されるため、加熱時間が短縮される。高温赤外線２ａ’は局部熱遮蔽プレート１０の形状に沿って遮られるため、低温加熱部２３への干渉は無く、高温加熱部２１との境界を精度位置良く設定でき、その周辺の温度徐変部位も少なくすることが可能となる。また、局部熱遮蔽プレート１０を任意の形状とすることで、低温加熱部２３を任意の形状に設定することが可能である。
【００３８】
図４（ｂ）にこの方法の自動車用部材への適用例を示す。ホットフォーミング製品（Ｂピラー）４３では、ホットフォーミング後に切断線４６で最終製品形状に切断が必要となる。切断線４６の周辺のみに低温加熱部４４を設けることで、この部位のみホットフォーミング後に低硬度となり、刃具による切断が容易となる。本発明によれば、低温加熱部４４は必要な切断線４６に沿って任意の形状に設定が可能である。さらに、位置精度良く、周辺の高温加熱部（高硬度部）４５への影響を少なくして低温加熱部位４４を設定することが可能である。
【００３９】
（実施例３）
図３は、本発明に係る加熱装置の一実施例及びそれを用いた局部高温加熱方法を示す。図３（ａ）は、図３（ｂ）のＡ−Ａ断面における断面図であり、図３（ｂ）は、図３（ａ）のＢ−Ｂ方向から見た平面図である。基本的な考え方は実施例１と同様である。被加熱材３は上下に複数配置した近赤外線ランプ１により加熱される。上側近赤外線ランプ１を部分的に高温設定部１ａと低温設定部１ｂに、下側近赤外線ランプ１を低温設定部１ｂとする。図３（ｂ）に示すように、被加熱材３と上側近赤外線ランプ１との間に、高温加熱部２１の形状を切り欠いた熱遮蔽プレート１０を配置して加熱することにより、図３（ｃ）に示すように高温加熱部２１のみ上面から高温赤外線２ａにより高温に加熱される。
【００４０】
周辺の低温加熱部２３は、上面からの高温赤外線２ａ’が熱遮蔽プレート１０で遮られるため高温設定温度には加熱されず、下面から低温設定の下側近赤外線ランプ１から照射される低温赤外線２ｂにより低温設定温度に加熱される。その他の部位は上側、下側の両側から低温赤外線２ｂにより低温設定温度に加熱される。  
【００４１】
高温赤外線２ａ’は熱遮蔽プレート１０の形状に沿って遮られるため、低温加熱部２３への干渉は無く、高温加熱部２１との境界線を精度位置良く設定でき、その周辺の温度徐変部位も少なくすることが可能である。また、熱遮蔽プレート１０の切欠きを任意の形状とすることで、高温加熱部２１を任意の形状に設定することが可能である。
【００４２】
図４（ｃ）に自動車用部材への適用例を示す。ホットフォーミング製品（Ｂピラー）４７では、Ｃ−Ｃ断面図に示すように強度が必要とされる稜線部４８のみをオーステナイト化温度以上（約８００℃以上が好ましい）に加熱し、焼入れを行い高強度とすることも可能である。このように、製品の要求特性に合わせて、一部分のみを高温に加熱し、ホットフォーミングで焼入れし、高強度とすることが可能となる。
【００４３】
上記の実施例では、被加熱材はいずれも平板状のものを用いているが、本発明においては立体形状の被加熱材も用いることができる。即ち、冷間成形又は熱間成形である程度立体的に成形した加工品を、本発明に係る加熱装置によりさらに加熱することができる。この場合、赤外線ランプのような照射線（電磁波）発生装置を被加熱材の周囲に立体的に配置し、被加熱材と電磁波発生装置との間に熱遮蔽プレートを立体的に配置する。
【００４４】
熱遮蔽プレートは、赤外線を透過せずに遮断することができ、加熱されにくい材質、例えばセラミックプレートやアスベストプレートなどが好適に使用できる。また、必要に応じて熱遮蔽プレートに冷却装置を設けてもよい。もしくは、プレート表面を、赤外線を反射するようゴールド反射ミラーなどの鏡面構造とした構造でもよい。また、熱遮蔽プレートはいくつかの部材を組み合わせて構成することができる。
【００４５】
上記の実施例では、加熱効率を高めること及び成形後の形状保持性を良くするため、高温加熱部以外の部分にも低温で赤外線加熱を行っている。しかし高温加熱部のみを加熱するようにしても良い。また、赤外線加熱に限らず、電磁波発生装置とその電磁波を遮蔽する熱遮蔽プレートを適宜組み合わせて使用することができる。また、電磁波発生装置に加えて、他の加熱手段を組み合わせてもよい。
【００４６】
（実施例４）
図５は、本発明に係る加熱装置を自動車部材鋼板のホットプレス用加熱装置に適用した設備構成の一例を示す。図５（ａ）は断面図、（ｂ）は平面図である。熱遮蔽プレート１０は、近赤外線発生装置（ランプ）を用いた加熱装置フレーム５３にステー５４で固定されている。熱遮蔽プレート１０は、被加熱材３と離して配置してもよいし、接触させて配置しても良い。図５（ｂ）に示すように、被加熱材３を５５の方向から搬入し、加熱装置により加熱後、５６の方向へ搬出する。１枚の熱遮蔽プレート１０を用いて鋼板の連続的な加熱処理が可能である。
【００４７】
熱遮蔽プレート１０は取替え可能な構造となっており、熱遮蔽プレート１０を取替えることにより、近赤外線ランプ自体を変更することなく、異なる加熱パターンで加熱することが可能である。また、近赤外線により加熱可能な多種の被加熱材を加熱することが可能であり、汎用性に優れている。また、赤外線ランプは配列を変える必要がないので、従来のような配列段替え作業が不要で作業性にも優れている。
【００４８】
以上、本発明を上記実施例に即して説明したが、本発明は上記実施例の構成にのみ制限されるものではなく、本発明の範囲内で当業者であればなしうるであろう各種変形、修正を含むことはもちろんである。
【図面の簡単な説明】
【００４９】
【図１】本発明に係る加熱装置の一実施例の平面図及び断面図である。
【図２】本発明に係る加熱装置の他の実施例の平面図及び断面図である。
【図３】本発明に係る加熱装置のさらに他の実施例の平面図及び断面図である。
【図４】図１〜３の加熱装置により加熱（又は成形）された製品の例である。
【図５】本発明に係る加熱装置の設備構成の一実施例である。
【図６】本発明に関連する加熱技術を示す平面図及び断面図である。
【図７】本発明に関連する加熱技術を示す平面図及び断面図である。
【図８】本発明に関連する加熱技術を示す平面図及び断面図である。
【符号の説明】
【００５０】
１  近赤外線ランプ
１ａ、１ｃ  高温設定部の近赤外線ランプ
１ｂ、１ｄ  低温設定部の近赤外線ランプ
２  近赤外線
２ａ  高温設定部ランプから放射される（遮蔽されない）赤外線（高温赤外線）
２ａ’  熱遮蔽プレートに遮蔽される赤外線
２ｂ  低温設定部ランプから放射される赤外線（低温赤外線）
３  被加熱材
５  高温加熱部（高強度部）
６  低温加熱部（低強度部）
７  温度徐変部
１０  熱遮蔽プレート（プレート材）
２１  高温加熱部
２２  温度境界範囲
２２ａ  温度境界
２３  低温加熱部
３９、４３、４７  ホットフォーミング製品
４２、４５、４８  高温加熱部（高硬度部）
４０、４４  低温加熱部（低硬度部）
４６  切断線
５３  装置フレーム
５４  ステー
【図１】
2010044875.tif 000003
【図２】
2010044875.tif 000004
【図３】
2010044875.tif 000005
【図４】
2010044875.tif 000006
【図５】
2010044875.tif 000007
【図６】
2010044875.tif 000008
【図７】
2010044875.tif 000009
【図８】
2010044875.tif 000010